(57)【要約】【課題】回路基板において、スルーホール間のクロストークを低減する。【解決手段】回路基板１は、複数のスルーホール１１１、１２１を有する。複数のスルーホール１１１、１２１の各々は、回路基板１に対して、隣接するスルーホールが略直交するような傾きを有する。【選択図】      図１
2016054244.tif 000002
【特許請求の範囲】
【請求項１】
複数のスルーホールを備えた回路基板であって、
前記複数のスルーホールの各々は、前記回路基板に対して、隣接するスルーホールが略直交するような傾きを有する、
回路基板。
【請求項２】
前記複数のスルーホールは、各々が１以上のスルーホールを含む、前記回路基板に並列に配置される、複数のスルーホール群を構成し、
前記複数のスルーホール群の各々のスルーホールは、隣接するスルーホール群のスルーホールが略直交するような傾きを有する、
請求項１に記載の回路基板。
【請求項３】
前記隣接するスルーホール群の各々のスルーホールは、前記回路基板に垂直な方向に対して、互いに反対方向の、略４５度の傾きを有する、
請求項２に記載の回路基板。
【請求項４】
前記複数のスルーホール群の各々の１以上のスルーホールは、前記回路基板に垂直な面に沿って、所定の間隔で形成される、
請求項２または３に記載の回路基板。
【請求項５】
前記複数のスルーホール群は、前記回路基板に、所定の間隔で並列に配置される、
請求項２乃至４のいずれかに記載の回路基板。
【請求項６】
前記複数のスルーホールの内の隣接する３つのスルーホールが、互いに略直交するような傾きを有する、
請求項１に記載の回路基板。
【発明の詳細な説明】
【技術分野】
【０００１】
本発明は、回路基板に関し、特に、スルーホールを有する回路基板に関する。
【背景技術】
【０００２】
プリント基板等の回路基板では、表面と裏面を貫通したスルーホールにより、表面、内層、及び、裏面の回路パターンが接続される。
【０００３】
このような回路基板のスルーホールの長さは、通常、数ミリメートル程度であり、スルーホールにより伝送される信号への、スルーホール間のクロストークノイズ（以下、単にクロストークと記載する）の影響は小さいものであった。
【０００４】
しかしながら、近年、回路基板の高密度化に伴い、特に、ＬＳＩ（Large Scale Integration）の直下等では、隣接するスルーホールの間隔が狭くなる傾向がある。また、回路基板の多層化に伴い、回路基板の厚さも増え、スルーホール長が長くなる傾向にある。さらに、回路基板上で伝送される信号の高速化も進んでいる。このため、上述のスルーホール間のクロストークの影響は無視できなくなってきている。
【０００５】
図８は、通常の回路基板２の例を示す斜視図である。また、図９は、通常の回路基板２の例を示す平面図である。図９の平面図は、図８の回路基板２の表面２１、及び、裏面２２を示す。
【０００６】
図８、及び、図９を参照すると、回路基板２は、スルーホール２１１ａ〜ｃ、スルーホール２２１ａ〜ｃ、及び、スルーホール２３１ａ〜ｃを有する。ここで、スルーホール２１１ａ〜ｃを第１のスルーホール群、スルーホール２２１ａ〜ｃを第２のスルーホール群、スルーホール２３１ａ〜ｃを第３のスルーホール群とする。第１〜第３のスルーホール群は、それぞれ、回路基板２に垂直で並列に配置された仮想的な面２１０、面２２０、面２３０に沿って、垂直に形成されている。すなわち、スルーホールは、互いに平行に形成されている。また、各スルーホール群におけるスルーホール間の間隔はＸ、スルーホール群間の間隔はＸ、回路基板２の厚さはＬであると仮定する。
【０００７】
ここで、スルーホール２１１ａ〜ｃ、２２１ａ、２２１ｃ、２３１ａ〜ｃがクロストークを発生するスルーホール(Aggressor)、スルーホール２２１ｂがクロストークを受けるスルーホール(Victim)であると仮定する。また、スルーホールの長さがＬの場合に、スルーホール(Victim)が、距離Ｘ離れた１つのスルーホール(Aggressor)から受けるクロストークの大きさがＫであると仮定する。
【０００８】
この場合、スルーホール２２１ｂが、スルーホール２１１ｂ、２２１ａ、２２１ｃ、及び、２３１ｂから受けるクロストークの合計は、４Ｋである。また、クロストークの大きさは、距離に反比例するため、スルーホール２２１ｂが、スルーホール２１１ａ、２１１ｃ、２３１ａ、及び、２３１ｃから受けるクロストークの合計は、４×（１／√２）×Ｋ＝２×√２×Ｋである。したがって、スルーホール２２１ｂが、周囲のスルーホール２１１ａ〜ｃ、２２１ａ、２２１ｃ、２３１ａ〜ｃから受けるクロストークの合計は、（４＋２×√２）×Ｋである。
【０００９】
なお、関連技術として、特許文献１には、回路基板におけるパターンの配線効率を高めるために、スルーホールを傾けて設ける技術が開示されている。
【先行技術文献】
【特許文献】
【００１０】
【特許文献１】特許平０２−０６０１８８号公報
【発明の概要】
【発明が解決しようとする課題】
【００１１】
本発明の目的は、上述した課題を解決し、スルーホール間のクロストークが低減された回路基板を提供することである。
【課題を解決するための手段】
【００１２】
本発明の回路基板は、複数のスルーホールを備えた回路基板であって、前記複数のスルーホールの各々は、前記回路基板に対して、隣接するスルーホールが略直交するような傾きを有する。
【発明の効果】
【００１３】
本発明の効果は、回路基板において、スルーホール間のクロストークが低減できることである。
【図面の簡単な説明】
【００１４】
【図１】本発明の第１の実施の形態の特徴的な構成を示すブロック図である。
【図２】本発明の第１の実施の形態における回路基板１の例を示す斜視図である。
【図３】本発明の第１の実施の形態における回路基板１の例を示す平面図である。
【図４】本発明の第２の実施の形態における回路基板１の例を示す斜視図である。
【図５】本発明の第２の実施の形態における回路基板１の例を示す平面図である。
【図６】本発明の第３の実施の形態における回路基板１の例を示す斜視図である。
【図７】本発明の第３の実施の形態における回路基板１の例を示す平面図である。
【図８】通常の回路基板２の例を示す斜視図である。
【図９】通常の回路基板２の例を示す平面図である。
【発明を実施するための形態】
【００１５】
（第１の実施の形態）
本発明の第１の実施の形態について説明する。
【００１６】
はじめに、本発明の第１の実施の形態の構成を説明する。
【００１７】
図２は、本発明の第１の実施の形態における回路基板１の例を示す斜視図である。また、図３は、本発明の第１の実施の形態における回路基板１の例を示す平面図である。図３の平面図は、図２の回路基板１の表面１１、及び、裏面１２を示す。
【００１８】
図２、及び、図３を参照すると、本発明の第１の実施の形態の回路基板１は、スルーホール１１１ａ〜ｃ、スルーホール１２１ａ〜ｃ、及び、スルーホール１３１ａ〜ｃを有する。スルーホールの内部の表面には、導電体が塗膜され、回路基板１の表面１１、内層（図示せず）、及び、裏面１２に配置される回路パターン（図示せず）と接続される。
【００１９】
ここで、スルーホール１１１ａ〜ｃを第１のスルーホール群、スルーホール１２１ａ〜ｃを第２のスルーホール群、スルーホール１３１ａ〜ｃを第３のスルーホール群とする。第１〜第３のスルーホール群は、それぞれ、回路基板１に垂直で、並列に配置された仮想的な面１１０、面１２０、面１３０に沿って、回路基板１の垂直方向に対して斜めに形成されている。第２のスルーホール群のスルーホール１２１ａ〜ｃは、回路基板１の垂直方向に対して、角度αで形成される。第２のスルーホール群に隣接する、第１のスルーホール群のスルーホール１１１ａ〜ｃ、及び、第３のスルーホール群のスルーホール１３１ａ〜ｃは、回路基板１の垂直方向に対して、第２のスルーホール群とは反対の角度α’で形成される。
【００２０】
角度α、及び、α’は、好適には、隣接するスルーホール群間で、異なる２つのスルーホールが直交するように選択される。すなわち、角度α、及び、α’は、図２において、スルーホール１２１ａの中心線５２１を平行移動した直線５２２と、スルーホール１１１ａの中心線５１１との成す角βが直角となるように選択される。この場合、角度α、及び、α’として、例えば、それぞれ、４５度が用いられる。
【００２１】
また、図８のケースと同様に、各スルーホール群におけるスルーホール間の間隔はＸ、スルーホール群間の間隔はＸ、回路基板１の厚さはＬであると仮定する。
【００２２】
ここで、図８のケースと同様に、スルーホール１１１ａ〜ｃ、１２１ａ、１２１ｃ、１３１ａ〜ｃがクロストークを発生するスルーホール(Aggressor)、スルーホール１２１ｂがクロストークを受けるスルーホール(Victim)であると仮定する。また、スルーホールの長さがＬの場合に、スルーホール(Victim)が、距離Ｘ離れた１つのスルーホール(Aggressor)から受けるクロストークの大きさがＫであると仮定する。
【００２３】
隣接するスルーホール群間で異なる２つのスルーホールが直交する場合、各スルーホール群のスルーホールは、隣接するスルーホール群のスルーホールにより発生したクロストークの影響を受けない。すなわち、スルーホール１２１ｂは、スルーホール１１１ａ〜ｃ、及び、スルーホール１３１ａ〜ｃによるクロストークの影響を受けない。また、クロストークの大きさは、スルーホール長に比例するため、角度α、α’が４５度の場合、スルーホール１２１ｂがスルーホール１２１ａ、１２１ｃから受けるクロストークの合計は、２×√２×Ｋ＝２√２×Ｋである。したがって、図８のケースのように、各スルーホールが回路基板２に垂直に形成されている場合に比べて、クロストークは４Ｋ低減する。
【００２４】
なお、本発明の第１の形態では、隣接するスルーホール群間で、異なる２つのスルーホールが直交する場合を例に説明した。しかしながら、隣接するスルーホール群間のクロストークの大きさが信号レベルに比べて十分小さくできれば、異なる２つのスルーホールは、完全に直交している必要はなく、直交に近い状態（略直交）でもよい。この場合、図２における角度βは、直角に近い他の値（略直角）でもよく、角度α、及び、α’は、４５度に近い他の値（略４５度）でもよい。
【００２５】
次に、本発明の第１の実施の形態の特徴的な構成を説明する。
【００２６】
図１は、本発明の第１の実施の形態の特徴的な構成における、回路基板１の例を示す図である。
【００２７】
図１を参照すると、回路基板１は、複数のスルーホール１１１、１２１を有する。複数のスルーホール１１１、１２１の各々は、回路基板１に対して、隣接するスルーホール１１１、１２１が略直交するような傾きを有する。
【００２８】
本発明の第１の実施の形態によれば、回路基板において、スルーホール間のクロストークを低減できる。その理由は、隣接するスルーホールが略直交するような傾きを有するためである。
【００２９】
これにより、例えば、クロストークを低減するためのＧＮＤ（ground）ガード等を設けることなく、クロストークを低減できる。
【００３０】
（第２の実施の形態）
次に、本発明の第２の実施の形態について説明する。
【００３１】
図４は、本発明の第２の実施の形態における回路基板１の例を示す斜視図である。また、図５は、本発明の第２の実施の形態における回路基板１の例を示す平面図である。図５の平面図は、図４の回路基板１の表面１１、及び、裏面１２を示す。
【００３２】
図４、及び、図５を参照すると、本発明の第２の実施の形態の回路基板１は、スルーホール１４１ａ〜ｃ、及び、スルーホール１５１ａ〜ｃを有する。
【００３３】
ここで、スルーホール１４１ａ〜ｃを第１のスルーホール群、スルーホール１５１ａ〜ｃを第２のスルーホール群とする。第１のスルーホール群のスルーホール１４１ａ〜ｃは、表面１１では仮想的な面１４０と表面１１とが交差する線に沿って、裏面１２では仮想的な面１５０と裏面１２とが交差する線に沿って貫通するように、回路基板１の垂直方向に対して斜めに形成される。第２のスルーホール群のスルーホール１５１ａ〜ｃは、表面１１では仮想的な面１５０と表面１１とが交差する線に沿って、裏面１２では仮想的な面１４０と裏面１２とが交差する線に沿って貫通するように、回路基板１の垂直方向に対して斜めに形成される。
第１のスルーホール群のスルーホール１４１ａ〜ｃは、回路基板１の垂直方向に対して、角度αで形成される。第２のスルーホール群のスルーホール１５１ａ〜ｃは、回路基板１の垂直方向に対して、第１のスルーホール群とは反対の角度α’で形成される。すなわち、第１のスルーホール群のスルーホール１４１ａ〜ｃと第２のスルーホール群のスルーホール１５１ａ〜ｃは、交互に交差するように形成される。
【００３４】
角度α、及び、α’は、好適には、隣接するスルーホール群間で、異なる２つのスルーホールが直交するように選択される。すなわち、角度α、及び、α’は、図４において、スルーホール１５１ａの中心線５５１を平行移動した直線５５２と、スルーホール１４１ａの中心線５４１との成す角βが直角となるように選択される。この場合、角度α、及び、α’として、例えば、それぞれ、４５度が用いられる。
【００３５】
本発明の第２の実施の形態によれば、本発明の第１の実施の形態と同様に、回路基板において、スルーホール間のクロストークを低減できる。
【００３６】
（第３の実施の形態）
次に、本発明の第３の実施の形態について説明する。
【００３７】
図６は、本発明の第３の実施の形態における回路基板１の例を示す斜視図である。また、図７は、本発明の第３の実施の形態における回路基板１の例を示す平面図である。図７の平面図は、図６の回路基板１の表面１１、及び、裏面１２を示す。
【００３８】
図６、及び、図７を参照すると、本発明の第３の実施の形態の回路基板１は、スルーホール１６１〜１６３を有する。
【００３９】
スルーホール１６１〜１６３は、回路基板１の垂直方向に対して斜めに、それぞれ、回路基板１の垂直方向に対して、角度α、α’、及び、α’’で形成される。角度α、α’、及び、α’’は、好適には、スルーホール１６１〜１６３が、互いに直交するように選択される。すなわち、角度α、α’、及び、α’’は、図６において、角β、及び、β’が、それぞれ、直角となるように選択される。ここで、角βは、スルーホール１６２の中心線５６２を平行移動した直線５６４と、スルーホール１６１の中心線５６１との成す角である。角β’は、スルーホール１６３の中心線５６３を平行移動した直線５６５と、スルーホール１６１の中心線５６１との成す角である。
【００４０】
本発明の第３の実施の形態によれば、本発明の第１の実施の形態と同様に、回路基板において、スルーホール間のクロストークを低減できる。
【００４１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００４２】
１    回路基板
２    回路基板
１１    表面
１２    裏面
２１    表面
２２    裏面
１１０    面
１１１    スルーホール
１２０    面
１２１    スルーホール
１３０    面
１３１    スルーホール
１４０    面
１４１    スルーホール
１５０    面
１５１    スルーホール
１６１    スルーホール
２１０    面
２１１    スルーホール
２２０    面
２２１    スルーホール
２３０    面
２３１    スルーホール
５１１    中心線
５２１    中心線
５２２    直線
５４１    中心線
５５１    中心線
５５２    直線
５６１    中心線
５６２    中心線
５６３    中心線
５６４    直線
５６５    直線
【図１】
2016054244.tif 000003
【図２】
2016054244.tif 000004
【図３】
2016054244.tif 000005
【図４】
2016054244.tif 000006
【図５】
2016054244.tif 000007
【図６】
2016054244.tif 000008
【図７】
2016054244.tif 000009
【図８】
2016054244.tif 000010
【図９】
2016054244.tif 000011